(57)【特許請求の範囲】
【請求項１】
格納したデータをキャプションデータの周波数で出力するデータ格納手段と、
前記データ格納手段が出力したデータと、水平同期信号の３２逓倍のクロック信号とのうち、一方を選択する選択手段と、
前記クロック信号のパルスを計数する計数手段と、
前記計数手段が計数した計数値と所定の値との大小を比較して、前記選択手段の選択性を切り換える選択制御手段とを
備えることを特徴とするデータ出力装置。
【請求項２】
請求項１記載のデータ出力装置において、
データ格納手段は映像信号の１水平ライン上に重畳するデータを格納し、
クロック信号はクローズドキャプション信号におけるヘッダー部のクロック信号であることを特徴とするデータ出力装置。
【請求項３】
請求項２記載のデータ出力装置において、映像信号の水平ライン数を計数する計数手段と、
前記計数手段の計数値と所定の値とが一致することを検出する一致検出手段と、
前記一致検出手段が一致を検出した場合にのみ、データ格納手段からデータを読み出し、読み出したデータとクロック信号との選択のタイミングを調整して出力する制御を行う制御手段とを
さらに備えることを特徴とするデータ出力回路。
【請求項４】
請求項３記載のデータ出力回路において、一致検出回路は、計数手段の計数値と所定の複数の値とが一致することを検出することを特徴とするデータ出力装置。
【請求項５】
請求項３記載のデータ出力装置において、データ格納手段からデータを読み出し、読み出したデータとクロック信号との選択のタイミングを調整して出力する制御を行う期間に、前記出力が有効であることを示す有効信号を生成する有効信号生成手段をさらに備えることを特徴とするデータ出力装置。
【請求項６】
格納したデータをキャプションデータの周波数で出力する工程と、
前記出力されたデータと、水平同期信号の３２逓倍のクロックとのうち、一方を選択する工程と、
前記クロックのパルスを計数する工程と、
前記計数した値と所定値を比較する工程と、
前記比較結果から前記選択を判断する工程と、
を含むデータ出力方法。
【発明の詳細な説明】
【０００１】
【発明の属する技術】
本発明は、クローズドキャプションに対応したデータを出力するデータ出力装置に関するものである
【０００２】
【従来の技術】
近年、ＶＴＲにおいてビデオテープになにが録画されているか等の情報をビデオテープの任意の水平同期信号ライン上に記録し、再生時にこの情報を読み出すことで容易に何が記録されているかと言った記録情報サービスが利用されるようになってきた。従来は、読み取り可能なフォーマットで情報を記録するために、必要となるデータを画面文字表示機能の文字データとして複数の文字領域を使い書き込み波形を文字データとして予め複数のパターンデータとして持ち、その中から選択されたデータを出力し、テープに書込みをしており、多くの文字領域がこのデータのために必要であった。また、ＮＴＳＣ、ＰＡＬなどの放送形式の変化に伴い、文字データを構成する１ドットあたりの時間が変るため、パターンを見直し作り変える必要があった。または、予め、読み取り可能なフォーマットに合ったパターンを全て設定できるだけの多くのシフトレジスタを用意し、その設定されたデータをシフト出力することにより、フォーマットに沿った信号を出力していた。
【０００３】
【発明が解決しようとする課題】
必要となるデータを予め用意しておかなければならない点、その用意するデータをＮＴＳＣ、ＰＡＬなどの放送形式の変化に伴い、文字データを構成する１ドットあたりの時間が変るため、パターンを見直し作り変える必要がある点、または数多くのシフトレジスタが必要な点を解決し、複数のデータを複数の水平同期信号ライン上への書込みに対応する事を目的とする。
【０００４】
【課題を解決するための手段】
上記課題を解決するために、本発明の請求項１に記載のデータ出力装置は、
格納したデータを第１の周波数で出力するデータ格納手段と、
前記データ格納手段が出力したデータと、前記第１の周波数と周波数が異なる第２の周波数を有するクロック信号とのうち、一方を選択する選択手段と、
前記クロック信号のレベルが変化する回数を計数する計数手段と、
前記計数手段が計数した計数値と所定の値との大小を比較して、前記選択手段の選択性を切り換える選択制御手段とを
備えるものである。
【０００５】
また、上記課題を解決するために、本発明の請求項２に記載のデータ出力装置は、請求項１記載のデータ出力装置において、
データ格納手段は映像信号の１水平ライン上に重畳するデータを格納し、
クロック信号はクローズドキャプション信号におけるヘッダー部のクロック信号であることを特徴とするものである。
【０００６】
また、上記課題を解決するために、本発明の請求項３に記載のデータ処理装置は、請求項２記載のデータ出力装置において、映像信号の水平ライン数を計数する計数手段と、
前記計数手段の計数値と所定の値とが一致することを検出する一致検出手段と、
前記一致検出手段が一致を検出した場合にのみ、データ格納手段からデータを読み出し、読み出したデータとクロック信号との選択のタイミングを調整して出力する制御を行う制御手段とを
さらに備えるものである。
【０００７】
また、上記課題を解決するために、本発明の請求項４に記載のデータ出力装置は、請求項３記載のデータ出力回路において、一致検出回路は、計数手段の計数値と所定の複数の値とが一致することを検出することを特徴とするものである。
【０００８】
また、上記課題を解決するために、本発明の請求項５に記載のデータ出力装置は、請求項３記載のデータ出力装置において、データ格納手段からデータを読み出し、読み出したデータとクロック信号との選択のタイミングを調整して出力する制御を行う期間に、前記出力が有効であることを示す有効信号を生成する有効信号生成手段をさらに備えるものである。
【０００９】
【発明の実施の形態】
以下、本発明の実施の形態について、図面を参照しながら説明する。
【００１０】
（実施の形態１）
図１において、１１はクロック制御部、１２はデータ格納部、１４はクロックカウント部、１５は選択部、１６はクロックパルス、４０１は出力波形である。
【００１１】
クローズドキャプションのデータフォーマットとして、図１の出力波形４０１に示すように水平同期信号の３２逓倍のパルス幅を持つクロック信号が７パルス分、その後００１データが続き、任意の１６ｂｉｔデータが続くというフォーマットにあった波形出力が必要である。
【００１２】
この波形の実現方法として、まず、クロックパルス１６を選択部１５より出力する。クロックカウント部１４で水平同期信号の３２逓倍のパルス幅のクロックパルス１６のパルス数をカウントし、７パルス出力後、パルスの立下りでクロックカウント部１４から選択部１５へ供給される選択信号２０９を切換え、クロックカウント部１４からクロック制御部１１へクロックパルス１６の出力完了信号をおくり、その完了信号を受けて、クロック制御部１１はデータ格納部１２へデータ出力のためのシフトクロックを供給し、データ格納部１４から選択部１５へ供給されるデータを出力する。クロックパルス１６の７パルスと前記データの出力の組み合わせで、クローズドキャプションフォーマットの波形出力を実現する。
【００１３】
（実施の形態２）
図３において、１０は位置認識部、１１はクロック制御部、１２はデータ格納部、１３はタイミング制御部、１４はクロックカウント部、１５は選択部、１６はクロックパルス、１０１はＨカウントレジスタ、１０２はＨｓｙｎｃカウンタ、２０１はＨｓｙｎｃカウンタ１０２とＨカウントレジスタ１０２と一致したときに出力する一致信号、２０５はクロック出力完了信号、２０６はデータ出力完了信号、２０７はシフトクロック、２０８は出力マスク信号、２０９は選択信号、２１０は同期クロック、４０１は出力波形である。
【００１４】
テレビ画面は走査線で構成されている。横方向に走査するごとに水平同期信号が入る。その水平同期信号をＨｓｙｎｃカウンタ１０２でカウントすることで、水平同期信号ラインがわかる。
【００１５】
１９ｂｉｔの書込み、読出し可能なシフトレジスタで構成されたデータ格納部１２に対し、予め、出力したいデータを設定する。
【００１６】
予めデータを書き込む水平同期信号ラインのカウント値をＨカウントレジスタ１０１に設定しておき、その設定値とＨｓｙｎｃカウンタ１０２のカウント値が一致すれば、位置認識部１０からクロックカウント部１４へ一致信号２０１が供給される。
【００１７】
クロックカウント部１４は一致信号２０１を受け、選択部１５に対し、出力をマスクする出力マスク信号２０８を解除し、出力を開始させる。また、クロックカウント部１４では、クロックパルス１６のカウントを開始する。
【００１８】
クロックカウント部１４でのカウント値が７になり、クロックパルス１６を７パルス出力した後、クロックパルス１６の立下りでクロックカウント部１４から選択部１５へ供給される選択信号２０９を切り換える。
【００１９】
選択部１５は選択信号２０９を受け、データ格納部１２からのデータを出力する状態になる。
【００２０】
また、クロックカウント部１４はクロック制御部１１へクロックパルス１６のクロック出力完了信号２０５を送る。
クロック出力完了信号２０５を受けて、クロック制御部１１は水平同期信号を３２逓倍したクロックパルス１６に遅延を加えシフトタイミング調整できるようにしたシフトクロック２０７を、データ格納部１２へ供給を開始する。
【００２１】
シフトクロック２０７により、データ格納部１２から選択部１５を通り、タイミング制御部１３へデータの出力が開始される。
【００２２】
タイミング制御部１３はクロックカウント部１４より水平同期信号を３２逓倍したクロックの同期クロック２１０を供給され、その同期クロック２１０で同期させ、タイミング調整した後、出力させる。
【００２３】
データ格納部１２のデータのシフト出力完了後、クロック制御部１１はクロックカウント部１４にデータ出力完了信号２０６を出力し、シフトクロック２０７を停止させる。
【００２４】
クロックカウント部はデータ出力完了信号２０６を受け、出力マスク信号２０８及び選択信号２０９を初期値に戻し、タイミング制御部１３へ同期クロック２１０を停止し、出力を停止させる。
【００２５】
出力される出力波形４０１は、ビデオテープ上のＨカウントレジスタ１０１で設定した水平同期信号ライン上に記録される。
【００２６】
上記構成により、位置認識部１０にあるＨカウントレジスタの設定値と、データ格納部１２のデータを任意の設定にすることにより、ビデオテープに任意の水平同期信号ラインに任意のデータをクローズドキャプションフォーマットで書くことが出来る。
【００２７】
（実施の形態３）
図４において１７はデータ格納部１２と別にもう一系統あるデータ格納部、１８はデータ格納部１２またはデータ格納部１８のどちらのデータを出力するかを選択する出力選択部、１０３はＨカウントレジスタ１０１と別にもう一系統あるＨカウントレジスタ、１９は２系統の一致回路を持つ位置認識部、２０３はＨｓｙｎｃカウンタ１０２とＨカウントレジスタ１０３と一致したときに出力する一致信号、２１１はデータ出力選択信号、２１２はデータ格納部１７に対するシフトクロック、１０は位置認識部、１１はクロック制御部、１２はデータ格納部、１３はタイミング制御部、１４はクロックカウント部、１５は選択部、１６はクロックパルス、１０１はＨカウントレジスタ、１０２はＨｓｙｎｃカウンタ、２０１はＨｓｙｎｃカウンタ１０２とＨカウントレジスタ１０２と一致したときに出力する一致信号、２０５はクロック出力完了信号、２０６はデータ出力完了信号、２０７はシフトクロック、２０８は出力マスク信号、２０９は選択信号、２１０は同期クロック、４０１は出力波形である。
【００２８】
Ｈカウントレジスタ１０１，１０３に対応し出力される１９ｂｉｔのデータは、それぞれデータ格納部１２，１７に格納する。Ｈカウントレジスタ１０１，１０３には、それぞれのデータを書き込む水平同期信号ラインのカウント値を設定する。
【００２９】
Ｈカウントレジスタ１０１とＨｓｙｎｃカウンタ１０２が一致し、一致信号２０１がクロックカウント部１４及びクロック制御部１１に供給される。
【００３０】
クロックカウント部１４は一致信号２０１を受け、選択部１５に対し、出力をマスクする出力マスク信号２０８を解除し、出力を開始させる。また、クロックカウント部１４では、クロックパルス１６のカウントを開始する。
【００３１】
クロックカウント部１４でのカウント値が７になり、クロックパルス１６を７パルス出力した後、クロックパルス１６の立下りでクロックカウント部１４から選択部１５へ供給される選択信号２０９を切り換える。
【００３２】
選択部１５は選択信号２０９を受け、データ格納部１２からのデータを出力する状態にする。
【００３３】
また、クロックカウント部１４はクロック制御部１１へクロックパルス１６のクロック出力完了信号２０５を送る。
【００３４】
クロック出力完了信号２０５と一致信号２０１により、クロック制御部１１は出力選択部１８にデータ出力選択信号２１１を送り、データ格納部１２からのデータ出力を出力する様態にする。
【００３５】
また、水平同期信号を３２逓倍したクロックパルス１６に遅延を加えシフトタイミング調整できるようにしたシフトクロック２０７を、データ格納部１２へ供給を開始する。
【００３６】
シフトクロック２０７により、データ格納部１２から出力選択部１８及び選択部１５を通り、タイミング制御部１３へデータの出力が開始される。
【００３７】
タイミング制御部１３はクロックカウント部１４より水平同期信号を３２逓倍したクロックの同期クロック２１０を供給され、その同期クロック２１０で同期させ、タイミング調整した後、出力させる。
【００３８】
データ格納部１２のデータのシフト出力完了後、クロック制御部１１はクロックカウント部１４にデータ出力完了信号２０６を出力し、シフトクロック２０７を停止させる。
【００３９】
クロックカウント部はデータ出力完了信号２０６を受け、出力マスク信号２０８及び選択信号２０９を初期値に戻し、タイミング制御部１３へ同期クロック２１０を停止し、出力を停止させる。
【００４０】
同様に、Ｈカウントレジスタ１０３とＨｓｙｎｃカウンタ１０２が一致し、一致信号２０３がクロックカウント部１４及びクロック制御部１１に供給される。
【００４１】
クロックカウント部１４はクロックパルス１６を７パルス出力後、クロック制御部１１にデータ出力完了信号２０６を出力する。
【００４２】
クロック出力完了信号２０５と一致信号２０３により、クロック制御部１１は出力選択部１８へのデータ出力選択信号２１１を切換え、データ格納部１７からのデータ出力を出力する様態にする。
【００４３】
水平同期信号を３２逓倍したクロックパルス１６に遅延を加えシフトタイミング調整できるようにしたシフトクロック２１２を、データ格納部１７へ供給を開始する。
【００４４】
シフトクロック２１２により、データ格納部１７から出力選択部１８及び選択部１５を通り、タイミング制御部１３へデータの出力が開始される。
【００４５】
タイミング制御部１３はクロックカウント部１４より水平同期信号を３２逓倍したクロックの同期クロック２１０を供給され、その同期クロック２１０で同期させ、タイミング調整した後、出力させる。
【００４６】
データ格納部１２のデータのシフト出力完了後、クロック制御部１１はクロックカウント部１４にデータ出力完了信号２０６を出力し、シフトクロック２０７を停止させる。
【００４７】
クロックカウント部はデータ出力完了信号２０６を受け、出力マスク信号２０８及び選択信号２０９を初期値に戻し、タイミング制御部１３へ同期クロック２１０を停止し、出力を停止させる。
【００４８】
出力される出力波形４０１は、ビデオテープ上のＨカウントレジスタ１０１及び１０３で設定した水平同期信号ライン上に記録される。
【００４９】
上記構成により、位置認識部１９にあるＨカウントレジスタ１０１及び１０３の設定値と、データ格納部１２及び１７のデータを任意の設定にすることにより、ビデオテープに任意の２つの水平同期信号ラインに異なる任意のデータをクローズドキャプションフォーマットで書くことが出来る。
【００５０】
また、画面を一度走査するごとに垂直同期信号が発生する。そのタイミングでデータ格納部１２，１７及びＨカウントレジスタ１０１，１０３の設定を変えると、テレビ信号の第１フィールド、第２フィールドに別々のデータ書き込むことが出来る。つまり、この場合、４種類のデータ書込みが可能となる。
【００５１】
４種類というのは、一つのテープの同一水平同期信号ライン及び同一フィールドに同じデータを書き続ける場合であり、垂直同期信号毎にデータ格納部１２，１７及びＨカウントレジスタ１０１，１０３の設定を変える事により、数多くのデータを書き込めることになる。
【００５２】
また、本発明は水平同期信号の３２逓倍のクロックパルス１６を出力し、水平同期信号の３２逓倍のクロックでタイミング制御し、出力する構成であるため、水平同期信号の周期が異なるＮＴＳＣ，ＰＡＬなどの放送形式の変化が生じた場合でも、自動的にパルス幅が合い、どの放送形式にも合うキャプションフォーマットで出力することが出来る。
【００５３】
（実施の形態４）
図５において、２０は有効データ領域作成部、３０１は有効信号、３０２は出力完了信号である。
【００５４】
一致信号２０１または２０３を受けて、有効データ領域作成部２０で有効信号３０１をセットする。また、クロック制御部１１よりデータ出力が完了したことを示す出力完了信号３０２を受けて、有効信号３０１をリセットする。そのことにより、データの有効期間を示す有効信号３０１を作成する。
【００５５】
有効信号３０１により、どの期間に出力される信号が、有効なデータであるかが判別可能となる。
【００５６】
上記説明の中では１９ｂｉｔのシフトレジスタとしたが、任意のｂｉｔ数でも良い。
【００５７】
また、一致回路及びデータ格納部は最大２系統について説明したが、３系統以上の任意の系統数であっても良い。
【００５８】
また、書き込む波形のフォーマットは、クローズドキャプションフォーマットについて説明したが、他のフォーマットであっても良い。
【００５９】
また、タイミング制御部１３はデータ出力部１２と選択部１５の間にあっても良い。
【００６０】
【発明の効果】
必要となるデータを予め用意しておかなければならない点、その用意するデータをＮＴＳＣ、ＰＡＬなどの放送形式の変化に伴い、作り変える必要がある点、または数多くのシフトレジスタが必要な点を解決し、複数のデータ書込みに対応する事が出来る。
【図面の簡単な説明】
【図１】本発明の実施の形態１を示す図
【図２】クローズドキャプションフォーマットを説明する図
【図３】本発明の第２の実施の形態におけるデータ出力装置を示す構成図
【図４】本発明の第３の実施の形態におけるデータ出力装置を示す構成図
【図５】本発明の第４の実施の形態におけるデータ出力装置を示す構成図及びタイミング図
【符号の説明】
１０    位置認識部
１１    クロック制御部
１２    データ格納部
１３    タイミング制御部
１４    クロックカウント部
１５    選択部
１６    クロックパルス
１７    データ格納部
１８    出力選択部
１９    位置認識部
２０    有効データ領域作成部
１０１  Ｈカウントレジスタ
１０２  Ｈｓｙｎｃカウンタ
１０３  Ｈカウントレジスタ
２０１  一致信号
２０３  一致信号
２０５  クロック出力完了信号
２０６  データ出力完了信号
２０７  シフトクロック
２０８  出力マスク信号
２０９  選択信号
２１０  同期クロック
２１１  データ出力選択信号
２１２  シフトクロック
３０１  有効信号
３０２  出力完了信号
４０１  出力波形
【図１】
0003603755.tif 000002
【図２】
0003603755.tif 000003
【図３】
0003603755.tif 000004
【図４】
0003603755.tif 000005
【図５】
0003603755.tif 000006